(57)【要約】【課題】複数の客室をグループ分けして、各々の客室に設置された被制御機器をグループ単位で制御可能な客室制御システムを提供する。【解決手段】宿泊施設内の客室Ｒ１，Ｒ２，…，Ｒｎには、被制御機器として例えば照明器具２１，２２及び空調装置２３が設けられている。客室側制御部１０は、客室Ｒ１，Ｒ２，…，Ｒｎの各々に設けられ、宿泊者の操作に応じて自室にある被制御機器の動作状態を制御可能である。サーバ１の履歴記憶部１ａには、客室Ｒ１，Ｒ２，…，Ｒｎにある被制御機器の使用状態を示す履歴情報が記憶されている。サーバ１は、客室又は被制御機器をグループ分けし、履歴記憶部１ａから制御対象のグループに属する被制御機器の履歴情報を読み出し、履歴情報をもとに推奨制御パターンを作成し、使用開始時には推奨制御パターンにしたがって制御対象の被制御機器を制御する。【選択図】図１
2013128208.tif 000002
【特許請求の範囲】
【請求項１】
宿泊施設内にある複数の客室の各々に設けられた被制御機器と、
複数の前記客室の各々に設けられ、宿泊者の操作に応じて自室にある前記被制御機器の動作状態を制御可能な客室側制御部と、
複数の前記客室にある前記被制御機器の動作状態を制御可能な中央制御部と、
複数の前記客室にある前記被制御機器の使用状態の履歴情報を記憶する履歴記憶部とを備え、
前記中央制御部は、前記客室又は前記被制御機器をグループ分けし、前記履歴記憶部から制御対象のグループに属する前記被制御機器の履歴情報を読み出し、前記履歴情報をもとに推奨制御パターンを作成し、使用開始時には前記推奨制御パターンにしたがって制御対象の前記被制御機器を制御することを特徴とする客室制御システム。
【請求項２】
前記中央制御部は、前記グループ毎に、前記履歴記憶部から読み出した履歴情報をもとに前記推奨制御パターンを複数作成し、使用開始時には、複数の前記推奨制御パターンから宿泊者によって選択された推奨制御パターンにしたがって制御対象の前記被制御機器を制御することを特徴とする請求項１記載の客室制御システム。
【請求項３】
前記客室側制御部は、宿泊者の操作に応じて前記中央制御部にアクセスし、自室にある前記被制御機器の推奨制御パターンを変更することを特徴とする請求項１又は２の何れか記載の客室制御システム。
【請求項４】
前記中央制御部は、前記客室側制御部からのアクセス要求を受け取ると前記客室側制御部にパスワードの入力を求め、宿泊者の操作に応じて前記客室側制御部から入力されたパスワードの認証に成功すれば、アクセスを許可する認証機能を備えることを特徴とする請求項１乃至３の何れか１項に記載の客室制御システム。
【請求項５】
前記中央制御部は、前記パスワードを毎日更新することを特徴とする請求項４記載の客室制御システム。
【請求項６】
前記中央制御部は、同じ宿泊者が宿泊している間は前記パスワードを更新しないことを特徴とする請求項５記載の客室制御システム。
【発明の詳細な説明】
【技術分野】
【０００１】
本発明は、客室制御システムに関するものである。
【背景技術】
【０００２】
従来、宿泊建物の各部屋の温度や湿度を宿泊者に合わせて設定できる空調制御システムがあった（例えば特許文献１参照）。この空調制御システムでは、宿泊者の居住建物における温度、湿度を予め測定し、履歴情報として記憶しておき、この履歴情報をもとに宿泊者が宿泊する宿泊室の空調を制御している。
【先行技術文献】
【特許文献】
【０００３】
【特許文献１】特開２００２−１０９０１６号公報
【発明の概要】
【発明が解決しようとする課題】
【０００４】
上述の空調制御システムでは、宿泊者の居住建物における温度、湿度の履歴情報をもとに、宿泊者が使用する宿泊室の空調を個別に制御しているため、複数の部屋にある空調の制御パターンをグループ単位で設定することはできなかった。
【０００５】
また、複数の部屋にある空調の制御パターンを、それぞれの部屋を利用する宿泊者の履歴情報をもとに決定しようとすると、全ての宿泊者の居住建物において温度、湿度の履歴情報を予め取得しておく必要がある。しかしながら、宿泊施設を利用する宿泊者は日によって異なり、その居住建物の場所や形態も様々であるので、宿泊者の居住建物における温度、湿度の履歴情報を取得する手間がかかるという問題があった。
【０００６】
本発明は上記課題に鑑みて為されたものであり、その目的とするところは、グループ毎に被制御機器の標準の制御パターンを容易に設定できる客室制御システムを提供することにある。
【課題を解決するための手段】
【０００７】
上記課題を解決するために、本願の客室制御システムは被制御機器と客室側制御部と中央制御部と履歴記憶部とを備える。被制御機器は、宿泊施設内にある複数の客室の各々に設けられている。客室側制御部は、複数の客室の各々に設けられ、宿泊者の操作に応じて自室にある被制御機器の動作状態を制御可能である。中央制御部は、複数の客室にある被制御機器の動作状態を制御可能である。履歴記憶部は、複数の客室にある被制御機器の使用状態の履歴情報を記憶する。中央制御部は、客室又は被制御機器をグループ分けし、履歴記憶部から制御対象の被制御機器の履歴情報を読み出し、履歴情報をもとに推奨制御パターンを作成する。そして、中央制御部は、使用開始時には推奨制御パターンにしたがって制御対象の被制御機器を制御する。
【０００８】
この客室制御システムにおいて、中央制御部は、グループ毎に、履歴記憶部から読み出した履歴情報をもとに推奨制御パターンを複数作成する。そして、中央制御部が、使用開始時には複数の推奨制御パターンから宿泊者によって選択された推奨制御パターンにしたがって制御対象の被制御機器を制御することも好ましい。
【０００９】
この客室制御システムにおいて、中央制御部は、グループ毎に、履歴記憶部から読み出した履歴情報をもとに制御パターンを複数作成し、複数の制御パターンから選択された制御パターンにしたがって制御対象の被制御機器を制御することも好ましい。
【００１０】
この客室制御システムにおいて、客室側制御部は、宿泊者の操作に応じて中央制御部にアクセスし、自室にある被制御機器の推奨制御パターンを変更することも好ましい。
【００１１】
この客室制御システムにおいて、中央制御部は、客室側制御部からのアクセス要求を受け取ると客室側制御部にパスワードの入力を求める。そして、中央制御部は、宿泊者の操作に応じて客室側制御部から入力されたパスワードの認証に成功すれば、アクセスを許可する認証機能を備えることも好ましい。
【００１２】
この客室制御システムにおいて、中央制御部は、パスワードを毎日更新することも好ましい。
【００１３】
この客室制御システムにおいて、中央制御部は、同じ宿泊者が宿泊している間はパスワードを更新しないことも好ましい。
【発明の効果】
【００１４】
本発明によれば、使用開始時に宿泊者が個々の被制御機器の動作状態を設定する手間を省くことができる。また、各被制御機器の推奨制御パターンを、各被制御機器の過去の使用形態を示す履歴情報に基づいて設定しているので、これまでの使用状態に基づいて各々の被制御機器の動作状態を設定できる。よって、宿泊客の多くが快適と感じる使用形態で被制御機器を動作させることで、快適な室内環境を実現することができる。
【図面の簡単な説明】
【００１５】
【図１】本実施形態の客室制御システムの概略的なシステム構成図である。
【図２】同上に用いられる客室側制御部のブロック図である。
【図３】（ａ）（ｂ）は同上のフローチャートである。
【発明を実施するための形態】
【００１６】
本実施形態の客室制御システムは、宿泊施設の客室に設けられた被制御機器（例えば照明器具や空調機器など）を制御するためのシステムであり、このシステムについて図１〜図３を参照して説明を行う。
【００１７】
図１は客室制御システムの概略的なシステム構成図である。本システムは、宿泊施設のフロントＦ１に設けられたサーバ１（中央制御部）と、客室Ｒ１，Ｒ２，…，Ｒｎ（ｎは３以上の整数）の各々に設けられた客室側制御部１０及び被制御機器（例えば照明器具２１，２２及び空調装置２３）とを主要な構成として備える。
【００１８】
客室Ｒ１，Ｒ２，…，Ｒｎの各々には、被制御機器として、客室内の所望の場所をそれぞれ照明する照明器具２１，２２と、客室内を空調する空調装置（エアコン）２３とが設置されている。また客室Ｒ１，Ｒ２，…，Ｒｎの各々には、被制御機器である照明器具２１，２２及び空調装置２３の動作を制御する客室側制御部１０が設置されている。客室側制御部１０は、制御対象の被制御機器を操作するための操作部（図示せず）を有し、宿泊者や宿泊施設の従業員が操作部を操作することによって、或いは、サーバ１から送信された制御信号に応じて、被制御機器の動作を制御する。尚、客室Ｒ１，Ｒ２，…，Ｒｎの各々には被制御機器として照明器具２１，２２及び空調装置２３が設置されているが、被制御機器は照明器具や空調装置に限定されるものではない。被制御機器は照明や空調以外で客室内の環境を制御する環境制御機器でもよいし、環境制御以外の用途に用いられる機器でもよい。
【００１９】
図２は客室側制御部１０のブロック図であり、客室側制御部１０は、制御処理部１１と、機器入出力処理部１２と、Ｗｅｂサーバ機能部１３と、上位通信処理部１４とを備えている。制御処理部１１は例えばマイクロコンピュータからなり、客室側制御部１０の全体的な制御を行う。機器入出力処理部１２は照明器具２１，２２及び空調装置２３との間で通信を行い、照明器具２１，２２及び空調装置２３に制御信号を出力したり、照明器具２１，２２及び空調装置２３から動作状態（オン／オフや設定温度など）を示す情報を取得したりする。Ｗｅｂサーバ機能部１３は、客室内で使用されるモニタ機器（例えばテレビ２４やタブレット端末２５）に表示させる画面データを保持している。モニタ機器は有線ＬＡＮ又は無線ＬＡＮを介して客室側制御部１０に接続されており、Ｗｅｂサーバ機能部１３から所望のモニタ機器へ画面データを送信することによって、モニタ機器に対応するＷｅｂ画面を表示させることができる。尚、モニタ機器としては、画面表示用の表示デバイスを備えてＩＰネットワークに接続可能な端末であれば、テレビ２４やタブレット端末２５以外の端末でもよく、例えば表示デバイスを備えたＩＰ電話機やスマートホンなどでもよい。
【００２０】
客室Ｒ１，Ｒ２，…，Ｒｎの各々に設置された客室側制御部１０は、例えばＥｔｈｅｒｎｅｔ（登録商標）のような構内ネットワークＮＴ１を介して、フロントＦ１に設けられたサーバ１に接続されている。サーバ１及び客室側制御部１０には、個別のアドレスが割り当てられており、サーバ１及び客室側制御部１０の間ではアドレスを含む伝送信号を送受信することによって、信号の送受信が行われる。
【００２１】
サーバ１は、客室Ｒ１，Ｒ２，…，Ｒｎの各々に設けられた客室側制御部１０との間で定期的に通信を行い、客室側制御部１０から被制御機器の使用状態に関わる情報を収集する。またサーバ１には、客室Ｒ１，Ｒ２，…，Ｒｎの各々に宿泊する宿泊客の情報（例えば人数、年代、性別、出身国など）の情報が宿泊施設の従業員によって入力されている。而してサーバ１では、個々の客室毎に、客室の情報（部屋タイプや部屋の向きなどの情報）と、利用した宿泊客の情報と、被制御機器の使用状態に関わる情報とを関連付けて履歴記憶部１ａに記憶させている。
【００２２】
またサーバ１は、制御対象の客室に設けられた客室側制御部１０に制御信号を送信することによって、所望の被制御機器（照明器具２１，２２又は空調装置２３）を制御することができる。
【００２３】
またサーバ１は、宿泊客が使用開始時（例えばチェックイン時）に客室内にある被制御機器の動作設定を行う手間を軽減するために、過去の使用履歴をもとに作成した推奨制御パターンで被制御機器を動作させる機能を有している。サーバ１は、制御対象の客室又は被制御機器を複数のグループ（例えば同じような使われ方をするグループであり、客室の部屋タイプ別によるグループなど）にグループ分けしている。サーバ１では、宿泊客がチェックインした際にこの宿泊客が利用する客室又は客室内の被制御機器と同じグループに属する被制御機器の履歴情報を履歴記憶部１ａから読み出し、履歴情報を統計処理することによって、被制御機器毎に一番多い使用状態を求め、この使用状態を推奨制御パターンとして設定する。この推奨制御パターンはサーバ１から対応する客室の客室側制御部１０に送信され、客室側制御部１０によって客室内にある被制御機器が推奨制御パターンで制御される。これにより、客室又は被制御機器のグループ毎に各グループに属する被制御機器は、過去の使用履歴をもとに最も多い使われ方と判断された推奨制御パターンで動作させられるから、宿泊客は被制御機器の動作設定を自ら行う必要が無い。また、これまで利用した宿泊客が快適だと感じた動作状態で被制御機器を動作させることができるから、快適な室内環境を宿泊客に提供することができる。
【００２４】
ここで、サーバ１が、各々の客室にある被制御機器の履歴情報を収集して、推奨制御パターンを作成する処理について、図３（ａ）（ｂ）のフローチャートを参照して説明する。
【００２５】
先ず、サーバ１が被制御機器の使用状態を示す履歴情報を収集する処理について図３（ａ）のフローチャートを参照して説明する。所定の収集時間（例えば毎正時）になると（ステップＳ１のＹｅｓ）、サーバ１は、全ての客室の客室側制御部１０に順番にアクセスし、各々の客室側制御部１０から客室内にある被制御機器の使用状態を収集する（ステップＳ２）。サーバ１は、ステップＳ２で各々の客室側制御部１０から被制御機器の使用状態を示す情報を収集すると、収集した情報を、客室及び宿泊客に関する情報と関連付け、履歴情報として履歴記憶部１ａに記憶させた後（ステップＳ３）、処理を終了する。履歴記憶部１ａには、個々の被制御機器の使用状態を示す履歴情報が、客室及び宿泊客の情報と関連付けて所定期間分保存されており、履歴記憶部１ａの記憶容量を超えると、古いデータに上書きして記憶されている。下記の表１は履歴記憶部１ａに記憶された履歴情報の一例を示し、客室Ｒ１，Ｒ２，…，Ｒｎにある照明器具２１，２２及び空調装置２３の使用状態を示すデータが所定期間分格納されている。尚、表１では記載を省略しているが、客室Ｒ１，Ｒ２，…，Ｒｎの各々にある被制御機器の使用状態に関連付けて、客室の情報や、客室を利用する宿泊客の情報が記憶されている。
【００２６】
【表１】
2013128208.tif 000003
【００２７】
次に、サーバ１が推奨制御パターンを作成する処理について図３（ｂ）のフローチャートを参照して説明する。上述のように、サーバ１は制御対象の客室又は被制御機器をグループ分けして、グループ毎に推奨制御パターンを作成しているが、客室の部屋タイプ別（例えばシングル、ツイン、和室の別）にグループ分けを行った場合を例に説明する。サーバ１は、チェックイン時にフロント係によって客室の使用開始が入力されると、この客室と部屋タイプが同じグループに属する被制御機器の履歴情報を履歴記憶部１ａから読み出す（ステップＳ４）。そして、サーバ１は、読み出した履歴情報に統計処理を施すことによって、制御対象の被制御機器について今までで一番多い使用状態を求め、この使用状態を制御対象である被制御機器の推奨制御パターンとして設定する（ステップＳ５）。ここで、客室Ｒ１，Ｒ２，Ｒｎが同じグループに属している場合、サーバ１は客室Ｒ１，Ｒ２，Ｒｎにある被制御機器、すなわち照明器具２１，２２及び空調装置２３の履歴情報を履歴記憶部１ａからそれぞれ読み出す。そして、サーバ１は、読み出した履歴情報に統計処理を施すことによって、例えば一番多い使用形態を推奨制御パターンとして、各被制御機器の制御パターン（例えば照明器具２１：オン（点灯）、照明器具２２：オン（点灯）、空調装置２３：温度中）を作成する。このようにして推奨制御パターンが作成されると、サーバ１は、宿泊客が泊まる客室（例えば客室Ｒ１）の客室側制御部１０へ推奨制御パターンを送信する。客室Ｒ１の客室側制御部１０は、サーバ１から送信された推奨制御パターンを受信すると、受信した推奨制御パターンにしたがって、自室にある被制御機器を動作させており、例えば照明器具２１，２２を「オン」させるとともに、空調装置２３を「温度中」で運転させる。尚、サーバ１から複数の客室にある被制御機器を一括して動作させることも可能である。この場合、サーバ１は、制御対象である複数の客室、又は、これらの客室にある被制御機器が属するグループの推奨制御パターンを読み出し、この推奨制御パターンを制御対象の被制御機器に対応した客室側制御部１０にそれぞれ送信する。この時、制御対象の客室にある客室側制御部１０は、サーバ１から送信された推奨制御パターンを受信し、受信した推奨制御パターンにしたがって、それぞれ対応する被制御機器（照明器具２１，２２及び空調装置２３）の動作を制御する。尚、被制御機器の使用開始時における動作状態は推奨制御パターンによって設定されるが、宿泊客が被制御機器の動作を変更したい場合、自室にある客室側制御部１０を操作することで、被制御機器の動作状態を変更できる。そして、被制御機器の動作状態が変更されると、その変更内容はサーバ１が情報収集することによって履歴情報として蓄積され、その後、推奨制御パターンを設定する際に使用されるのである。
【００２８】
以上説明したように、本実施形態の客室制御システムは、被制御機器（例えば照明器具２１，２２及び空調装置２３）と客室側制御部１０とサーバ１（中央制御部）と履歴記憶部１ａとを備える。被制御機器は、宿泊施設内にある複数の客室Ｒ１，Ｒ２，…，Ｒｎの各々に設けられている。客室側制御部１０は、複数の客室Ｒ１，Ｒ２，…，Ｒｎの各々に設けられ、宿泊者の操作に応じて自室にある被制御機器の動作状態を制御可能である。またサーバ１は、複数の客室Ｒ１，Ｒ２，…，Ｒｎにある被制御機器の動作状態を制御可能である。履歴記憶部１ａは、複数の客室Ｒ１，Ｒ２，…，Ｒｎにある被制御機器の使用状態を示す履歴情報を記憶する。サーバ１は、客室又は客室内にある被制御機器をグループ分けし、履歴記憶部１ａから制御対象のグループに属する被制御機器の履歴情報を読み出し、読み出した履歴情報をもとに推奨制御パターンを作成する。そして、サーバ１は、使用開始時には推奨制御パターンにしたがって制御対象の被制御機器を制御する。
【００２９】
これにより、使用開始時に宿泊者が個々の被制御機器の動作状態を設定する手間を省くことができる。また、制御対象の被制御機器を、同じグループに属する被制御機器の履歴情報をもとに決定した推奨制御パターンで動作させることができるので、快適な室内環境を宿泊者に提供することができる。
【００３０】
ここで、サーバ１は、制御対象の客室又は被制御機器をグループ分けして、グループ毎に過去の使用状態を示す履歴情報に基づいて被制御機器毎に推奨制御パターンを作成しているが、履歴情報をもとに複数の推奨制御パターンを作成してもよい。この場合、サーバ１は、複数の推奨制御パターンの中から宿泊者が選択した推奨制御パターンにしたがって被制御機器を動作させればよい。すなわち、サーバ１は、グループ毎に被制御機器の使用状態を示す履歴情報を履歴記憶部１ａから読み出し、履歴情報に基づいて推奨制御パターンを複数作成する。宿泊施設のフロントで宿泊客がチェックインする際に、フロント係がサーバ１を操作して、宿泊客の泊まる客室（例えば客室Ｒ１）を入力すると、サーバ１は、客室Ｒ１が属するグループ用に作成された複数の推奨制御パターンを読み出して、フロントに設置されたディスプレイ装置（図示せず）に表示させる。フロント係はディスプレイ装置に表示された複数の推奨制御パターンを宿泊客に見せて、何れかの推奨制御パターンを宿泊客に選択させる。そして、宿泊客によって選択された推奨制御パターンをフロント係がサーバ１に入力すると、サーバ１は、選択された推奨制御パターンを客室Ｒ１にある客室側制御部１０へ送信する。客室Ｒ１の客室側制御部１０は、サーバ１から送信された推奨制御パターンを受信すると、受信した推奨制御パターンにしたがって被制御機器を動作させており、例えば照明器具２１，２２を「オン」させるとともに、空調装置２３を「温度中」で運転させる。
【００３１】
このように、サーバ１は、グループ毎に、履歴記憶部１ａから読み出した履歴情報をもとに推奨制御パターンを複数作成する。そして、サーバ１は、使用開始時には、複数の推奨制御パターンから宿泊者によって選択された推奨制御パターンにしたがって、制御対象のグループに属する被制御機器を制御する。
【００３２】
これにより、宿泊客は、過去の使用状態の履歴情報をもとに作成された複数の推奨制御パターンから所望の推奨制御パターンを選択できるので、客室内の環境を宿泊客の望む環境により近付けることができ、より快適な室内環境を提供することができる。
【００３３】
また、何れかの客室に滞在している宿泊客が、客室側制御部１０を操作することによって、客室側制御部１０からサーバ１にアクセスして、自室の被制御機器に設定された推奨制御パターンを変更するようにしてもよい。客室側制御部１０が、宿泊客の操作に応じてサーバ１に推奨制御パターンの変更要求を送信すると、サーバ１は、推奨制御パターンの変更要求に応じて複数の推奨制御パターンのデータを要求元の客室側制御部１０に送信する。変更要求を送信した客室側制御部１０は、サーバ１から送信された複数の推奨制御パターンのデータを受信すると、複数の推奨制御パターンのデータをモニタ画面（図示せず）や室内にあるモニタ機器（例えばテレビ２４やタブレット端末２５）に表示させる。そして、推奨制御パターンの変更操作を行った宿泊客は、客室側制御部１０のモニタ画面或いはモニタ機器に表示された複数の推奨制御パターンを確認し、客室側制御部１０を用いて所望の推奨制御パターンを選択する操作を行う。この操作に応じて、客室側制御部１０は選択された推奨制御パターンで被制御機器を動作させるので、現在設定されている推奨制御パターンを変更することができる。尚、宿泊客によって推奨制御パターンが選択された場合に、客室側制御部１０が、選択された推奨制御パターンの情報をサーバ１へ送信すると、サーバ１から、選択された推奨制御パターンの制御データが客室側制御部１０に返送され、この制御データにしたがって客室側制御部１０が、制御対象の被制御機器を動作させてもよい。
【００３４】
このように、客室側制御部１０が、宿泊者の操作に応じてサーバ１（中央制御部）にアクセスし、自室にある被制御機器の推奨制御パターンを変更することも好ましい。
【００３５】
これにより、宿泊客は、客室側制御部１０を用いて推奨制御パターンを変更することで、客室内にある被制御機器の動作を一括で変更でき、複数ある被制御機器（照明器具２１，２２、空調装置２３）の動作を個別に切り替える場合に比べて操作の手間を軽減できる。また、客室内の環境を宿泊客の望む環境により近付けることができ、快適な室内環境を実現できる。
【００３６】
尚、客室側制御部１０からサーバ１にアクセスした場合に、サーバ１が、アクセスしてきた客室側制御部１０に対してパスワードの入力を求めてもよい。客室側制御部１０が宿泊客の操作に応じてサーバ１にアクセス要求を送信すると、サーバ１は、客室側制御部１０からのアクセス要求に応じて、要求元の客室側制御部１０にパスワードの入力を要求する信号を返送する。要求元の客室側制御部１０は、モニタ画面やモニタ機器にパスワードの入力を促す入力画面を表示させ、この入力画面を見た宿泊者が、チェックイン時にフロント係から教えられたパスワードを客室側制御部１０に入力すると、入力したパスワードがサーバ１へ送信される。この時、サーバ１は、要求元の客室側制御部１０から送信されたパスワードと事前に設定したパスワードとの認証を行う。認証に成功すると、サーバ１は、客室側制御部１０からの変更要求を受けて、複数の推奨制御パターンのデータを客室側制御部１０に送信し、宿泊客に制御パターンを選択させて、制御パターンの変更処理を行わせる。一方、認証に失敗すると、サーバ１は、客室側制御部１０からのアクセス要求を拒否するので、宿泊客や宿泊施設の従業員など予め許可された人間以外が制御パターンを勝手に変更できないようにすることができる。
【００３７】
ここで、サーバ１は、上記のパスワードを毎日更新してもよく、システムの安全性を向上できる。
【００３８】
尚、パスワードの更新は、宿泊客が入れ替わる時間帯（チェックアウトとチェックインの間）に行うのが好ましい。
【００３９】
また、サーバ１は、同じ宿泊客が続けて宿泊している期間（例えば複数日連泊する場合）は、その客室にある客室側制御部１０に割り当てたパスワードを更新しないようにしてもよい。これにより、連泊中にパスワードが変更されないから、宿泊客がパスワードを覚えておく負担を軽減できる。
【００４０】
尚、上述の実施形態では客室の部屋タイプ（例えばシングル、ツイン、和室など）に応じて客室をグループ分けしているが、客室の向き（例えば海側、山側、道路側など）によって客室をグループ分けしてもよい。また、客室を利用した宿泊客の属性（例えば宿泊客の年代、性別、出身国など）によって各々の客室をグループ分けし、グループ毎に被制御機器の使用状態の履歴情報をもとに制御パターンを作成してもよい。これにより、同じ属性の宿泊客によって最も多く使われた使用状態で、各々の被制御機器を動作させることができるから、同じ属性を有する宿泊客の多くが快適と感じた環境を実現でき。快適な室内環境を宿泊客に提供できる。
【符号の説明】
【００４１】
１  サーバ（中央制御部）
１ａ  履歴記憶部
１０  客室側制御部
２１，２２  照明器具（被制御機器）
２３  空調装置（被制御機器）
Ｆ１  フロント
Ｒ１，Ｒ２，…，Ｒｎ  客室
【図１】
2013128208.tif 000004
【図２】
2013128208.tif 000005
【図３】
2013128208.tif 000006